(57)【要約】【課題】枚葉印刷機に、ナンバー、漢字、 バーコード、二次元コードなどの情報印字を被印刷物に印刷するインクジェット装置を着脱可能に設けることにより、従来のように天地／左右位置調整を印刷機械上で作業者が装置近辺で手動操作すること等の作業を不要とし、もって、容易に上記情報印字を被印刷物に印刷することができる枚葉印刷機を得る。【解決手段】情報印字を被印刷物に印刷するインクジェット装置１８を備えた枚葉印刷機１であって、前記インクジェット装置１８は前記枚葉印刷機１に着脱可能に設けられている。【選択図】図１
2012020537.tif 000002
【特許請求の範囲】
【請求項１】
情報印字を被印刷物に印刷するインクジェット装置を備えた枚葉印刷機であって、
前記インクジェット装置は前記枚葉印刷機に着脱可能に設けられていることを特徴とする枚葉印刷機。
【請求項２】
請求項１記載の枚葉印刷機において、
前記枚葉印刷機は、一色以上の印刷を行うことができるオフセット印刷機であり、
前記オフセット印刷機は、少なくとも一つの圧胴を備え、
前記少なくとも一つの圧胴のうちの前記枚葉印刷機の最も下流側に位置する圧胴の近傍に、前記インクジェット装置が前記枚葉印刷機に対して着脱可能に設けられていることを特徴とする枚葉印刷機。
【請求項３】
請求項２記載の枚葉印刷機において、
前記インクジェット装置は、移動可能な台車に配置されており、
前記台車には、台車側スライドレールが設けられており、前記インクジェット装置は前記台車側スライドレールに沿ってスライド移動可能になっており、
前記オフセット印刷機には、前記台車側スライドレールと一致する位置に印刷機側スライドレールが設けられており、
前記台車を、前記台車側スライドレールと前記印刷機側スライドレールとを一致させる位置まで移動させることにより、前記インクジェット装置を前記台車の前記台車側スライドレール上から前記オフセット印刷機の前記印刷機側スライドレール上にスライド移動させることができることを特徴とする枚葉印刷機。
【請求項４】
請求項３記載の枚葉印刷機において、
前記インクジェット装置には、ピンと前記ピンを上方に持ち上げるレバーとを有し、
前記ピンは、スプリングによって下方に付勢されており、前記スプリングの付勢力によって前記インクジェット装置の底部に形成された穴から前記インクジェット装置の下方に突出することができ、
前記レバーは、前記インクジェット装置の底部に形成された前記穴から前記インクジェット装置の下方に突出している前記ピンを、前記インクジェット装置内に収容するように前記スプリングの付勢力に抗して前記ピンを上方に持ち上げることを特徴とする枚葉印刷機。
【請求項５】
請求項４記載の枚葉印刷機において、
前記台車には前記ピンを受け入れて前記インクジェット装置を前記台車に固定するための台車側受け入れ穴が形成され、
前記オフセット印刷機には、前記ピンを受け入れて前記インクジェット装置を前記オフセット印刷機に固定するための印刷機側受け入れ穴が形成されていることを特徴とする枚葉印刷機。
【請求項６】
請求項１乃至５のうちのいずれか一つに記載の枚葉印刷機において、
前記インクジェット装置は、前記インクジェット装置に設けられたバーに沿ってスライド移動可能できかつ所望の位置で固定できる少なくとも一つのインクジェットヘッドが設けられていることを特徴とする枚葉印刷機。
【請求項７】
請求項６記載の枚葉印刷機において、
前記インクジェット装置は、前記バーの軸線と平行に伸びたシャフトが設けられており、前記シャフトには、前記被印刷物にミシン目を入れることができるミシン歯を有するミシン手段が少なくとも一つ取り付けられていることを特徴とする枚葉印刷機。
【請求項８】
請求項７記載の枚葉印刷機において、
前記ミシン手段は、前記インクジェットヘッドに干渉しない位置でかつ前記インクジェットヘッドに隣接した位置に設けられていることを特徴とする枚葉印刷機。
【請求項９】
請求項８記載の枚葉印刷機において、
前記ミシン手段は、前記インクジェット制御装置からの出力信号に基づいて動作できるようになっていることを特徴とする枚葉印刷機。
【請求項１０】
請求項１乃至９のうちのいずれか一つに記載の枚葉印刷機において、
前記情報印字は、ナンバー、漢字、バーコード及び二次元コードのうちの少なくとも一つから成ることを特徴とする枚葉印刷機。
【発明の詳細な説明】
【技術分野】
【０００１】
本発明は、オフセット印刷機などの枚葉印刷機に関するものである。
【背景技術】
【０００２】
従来において、枚葉印刷機として様々なオフセット印刷機が知られている（例えば、特許文献１参照。）。
【先行技術文献】
【特許文献】
【０００３】
【特許文献１】特開２００３−０８９１８５号公報
【０００４】
上記オフセット印刷機などの従来の枚葉印刷機では、伝票やチケット類へのナンバー印刷を実施する場合、取り付けリング上への機械的番号機の取り付けを、天地及び左右の位置調節を全て手動で実施している。
【発明の概要】
【発明が解決しようとする課題】
【０００５】
しかしながら、ナンバー印刷は決められた被印刷物のある特定範囲に印字することが必要であり、従来技術の場合、回転する圧胴に対する機械的番号機の位置調節は難しく、位置を合わせるために、印刷を実施しながら特定範囲に印字するまでに複数回の調節を必要としていた。またナンバー印刷の仕事内容が変わる度に機械的番号機の印刷位置調節や印字内容を手動で実施しなければならない問題があった。また何らかのトラブル等により印刷途中で印刷が中断し印刷不良が発生した場合には、ナンバー印刷は、機械的番号機にて行っている為、手動にてナンバーの数値を戻し、再印刷する必要がある為、手間がかかり損紙印刷がでやすい方式であった。
【０００６】
また機械的番号機を使用するため、ナンバーの字体や大きさ、隣接する数字と数字との間隔は変えることができない。また数字の印刷しかできず、例えば漢字、 バーコード、二次元コードなどに対応できない。さらには、従来のチケット類へナンバー印刷を注文する顧客に対して、ナンバー印刷の出来栄えを事前に見せることができないという様々な課題があった。近年、ナンバー印刷のみならず、上述のバーコードや二次元コ−ドなど情報源を持つ印字形式があり、それらには同様の装置では対応ができない問題があった。
【０００７】
本発明は、上述のような従来技術の問題点に鑑みてなされたものであり、枚葉印刷機に、ナンバー、漢字、 バーコード、二次元コードなどの情報印字を被印刷物に印刷するインクジェット装置を着脱可能に設けることにより、従来のように天地／左右位置調整を印刷機械上で作業者が装置近辺で手動操作すること等の作業を不要とし、もって、容易に上記情報印字を被印刷物に印刷することができる枚葉印刷機を提供することを目的とする。
【課題を解決するための手段】
【０００８】
本発明は、情報印字を被印刷物に印刷するインクジェット装置を備えた枚葉印刷機であって、前記インクジェット装置は前記枚葉印刷機に着脱可能に設けられていることを特徴とする枚葉印刷機を提供する。
【０００９】
また、前記枚葉印刷機は、一色以上の印刷を行うことができるオフセット印刷機にすることができ、前記オフセット印刷機は、少なくとも一つの圧胴を備え、前記少なくとも一つの圧胴のうちの前記枚葉印刷機の最も下流側に位置する圧胴の近傍に、前記インクジェット装置が前記枚葉印刷機に対して着脱可能に設けられている。
【００１０】
また、前記インクジェット装置は、移動可能な台車に配置されており、前記台車には、台車側スライドレールが設けられており、前記インクジェット装置は前記台車側スライドレールに沿ってスライド移動可能になっており、前記オフセット印刷機には、前記台車側スライドレールと一致する位置に印刷機側スライドレールが設けられており、前記台車を、前記台車側スライドレールと前記印刷機側スライドレールとを一致させる位置まで移動させることにより、前記インクジェット装置を前記台車の前記台車側スライドレール上から前記オフセット印刷機の前記印刷機側スライドレール上にスライド移動させることができる。
【００１１】
また、前記インクジェット装置には、ピンと前記ピンを上方に持ち上げるレバーとを有し、前記ピンは、スプリングによって下方に付勢されており、前記スプリングの付勢力によって前記インクジェット装置の底部に形成された穴から前記インクジェット装置の下方に突出することができ、前記レバーは、前記インクジェット装置の底部に形成された前記穴から前記インクジェット装置の下方に突出している前記ピンを、前記インクジェット装置内に収容するように前記スプリングの付勢力に抗して前記ピンを上方に持ち上げることが可能である。
【００１２】
また、前記台車には前記ピンを受け入れて前記インクジェット装置を前記台車に固定するための台車側受け入れ穴を形成し、前記オフセット印刷機には、前記ピンを受け入れて前記インクジェット装置を前記オフセット印刷機に固定するための印刷機側受け入れ穴を形成することができる。
【００１３】
また、前記インクジェット装置は、前記インクジェット装置に設けられたバーに沿ってスライド移動可能できかつ所望の位置で固定できる少なくとも一つのインクジェットヘッドが設けられている。
【００１４】
また、前記インクジェット装置は、前記バーの軸線と平行に伸びたシャフトが設けられており、前記シャフトには、前記被印刷物にミシン目を入れることができるミシン歯を有するミシン手段が少なくとも一つ取り付けられている。
【００１５】
また、前記ミシン手段は、前記インクジェットヘッドに干渉しない位置でかつ前記インクジェットヘッドに隣接した位置に設けられているのが好ましい。
【００１６】
また、前記ミシン手段は、例えば、前記インクジェット制御装置からの出力信号に基づいて動作できるようにすることができる。
【００１７】
さらに、前記情報印字は、例えば、ナンバー、漢字、バーコード及び二次元コードのうちの少なくとも一つあるいはそれらの組み合わせから成ることができる。
【発明の効果】
【００１８】
本発明によれば、枚葉印刷機に、ナンバー、漢字、 バーコード、二次元コードなどの情報印字を被印刷物に印刷するインクジェット装置を着脱可能に設けることにより、従来のように天地／左右位置調整を印刷機械上で作業者が装置近辺で手動操作すること等の作業を不要とし、もって、容易に上記情報印字を被印刷物に印刷することができる。また、インクジェット装置に被印刷物にミシン目を入れることができるミシン歯を有するミシン手段を設けることにより、情報印字を被印刷物の予め決められた位置に正確に印刷することができると共に、ミシン手段によって被印刷物にミシン目を入れることができる。
【図面の簡単な説明】
【００１９】
【図１】図１は、本発明にかかる枚葉印刷機としてのオフセット印刷機の実施の形態を示す概略図である。
【図２】図２は、本発明にかかる枚葉印刷機に適用可能なインクジェット装置の一例を示す断面図である。
【図３】図３は、本発明にかかる枚葉印刷機に適用可能なインクジェット装置の一例を示す斜視図である。
【発明を実施するための形態】
【００２０】
以下、本発明にかかる枚葉印刷機を実施するための最良の形態について図面を参照しながら述べる。図１には、枚葉印刷機としてのオフセット印刷機１の概略図を示す。オフセット印刷機１の上流側には、被印刷物が積載された給紙装置２が配置されている。この給紙装置２から被印刷物が順次オフセット印刷機１に給紙される。図示のオフセット印刷機１は、二色印刷に対応した構成を有しており、上流側に配置され給紙装置２から供給された被印刷物を搬送するコンベヤ３が設けられている。コンベヤ３の下流側には、圧胴４が配設され、この圧胴４には、渡し胴５が隣接している。また、圧胴４には、上方にゴム胴６が隣接されており、ゴム胴６には版胴７が隣接されている。この版胴７には一色目のインキ供給部８と水供給部９とが隣接されている。
【００２１】
渡し胴５には、その下流側に大径の渡し胴１０が隣接されており、この渡し胴１０には、渡し胴１１が隣接し、この渡し胴１１に圧胴１２が隣接されている。圧胴１２には、上方にゴム胴１３が隣接されており、ゴム胴１３には版胴１４が隣接されている。この版胴１４には二色目のインキ供給部１５と水供給部１６とが隣接されている。また、圧胴１２には、排紙胴１７が隣接されている。
【００２２】
オフセット印刷機１の最も下流側に位置する圧胴１２の近傍には、インクジェット装置１８がオフセット印刷機１に対して着脱可能に設けられている。インクジェット装置１８は、ナンバー、漢字、 バーコード、二次元コードなどの情報印字を被印刷物の予め決められた位置に正確に印刷するために必要な信号をインクジェット装置１８に送信するインクジェット制御装置１９と接続されている。圧胴１２には、この回転量を検出するためのロータリーエンコーダ（図示せず）が取付けられており、このロータリーエンコーダにより検出した回転量が被印刷物の位置データ信号としてインクジェット制御装置１９に送信されるようになっており、インクジェット制御装置１９は、この位置データ信号に基づいてオフセット印刷機１とインクジェット装置１８とを同期するように制御するようになっている。
【００２３】
給紙装置２によって被印刷物が順次オフセット印刷機１に供給されると、まず一色目の印刷が行われる。すなわち、オフセット印刷機１に供給された被印刷物は、圧胴４にクランプされ、そして、ゴム胴６に転写された版胴７の一色目の印刷イメージが、被印刷物が圧胴４とゴム胴６との間を搬送されることにより被印刷物に印刷される。その後、渡し胴５及び大径の渡し胴１０を介して二色目の印刷が行われる。すなわち、大径の渡し胴１０にクランプされた被印刷物は、渡し胴１１にクランプされて圧胴１２に受け渡され、そして、ゴム胴１３に転写された版胴１４の二色目の印刷イメージが、被印刷物が圧胴１２とゴム胴１３との間を搬送されることにより被印刷物に印刷される。
【００２４】
また、圧胴１２の回転量はロータリーエンコーダ（図示せず）によって常時検知されており、その検知量（回転量）は、被印刷物の位置データ信号としてインクジェット制御装置１９に送信され、インクジェット制御装置１９は、この位置データ信号に基づいてインクジェット装置１８にナンバー、漢字、 バーコード、二次元コードなどの情報印字を被印刷物の予め決められた位置に正確に印刷するために必要な信号を送信し、インクジェット装置１８は、この信号に基づいて、ナンバー、漢字、バーコード、二次元コードなどの情報印字を被印刷物の予め決められた位置に正確に印刷する。このインクジェット装置１８による情報印字の印刷が完了すると、その印刷が施された被印刷物は排紙胴１７によって排紙部２０に排紙される。
【００２５】
次に、オフセット印刷機１に対するインクジェット装置１８の取り付け構造について説明する。図１においてオフセット印刷機１の外側近傍には移動可能な台車２１が配置されている。台車２１には、インクジェット制御装置１９が収容されている。また、台車２１の上部には、台車側スライドレール（図示せず）が設けられており、この台車側スライドレールに沿ってスライド移動可能にインクジェット装置１８が台車２１上に配置されている。図２に示すように、インクジェット装置１８には、コロ２７が設けられていると共に、スプリング２２によって下方に付勢されたピン２３が設けられており、ピン２３は、スプリング２２の付勢力によってインクジェット装置１８の底部に形成された穴からインクジェット装置１８の下方に突出している。また、ピン２３には、インクジェット装置１８の底部に形成された穴からインクジェット装置１８の下方に突出しているピン２３を、インクジェット装置１８内に収容するように（すなわち、インクジェット装置１８の下方に突出しないように）スプリング２２の付勢力に抗してピン２３を上方に持ち上げるレバー２４が設けられている。
【００２６】
台車２１の上部には所望の位置に上記ピン２３を受け入れてインクジェット装置１８を台車２１の所望の位置に固定するための台車側受け入れ穴（図示せず）が形成されている。従って、インクジェット装置１８の下方に突出しているピン２３をこの台車側受け入れ穴に嵌合させることによりインクジェット装置１８を台車２１の所望の位置に固定することができ、一方、レバー２４でインクジェット装置１８の下方に突出しているピン２３をインクジェット装置１８内に収容するように持ち上げることにより、インクジェット装置１８をコロ２７で台車側スライドレールに沿ってスライド移動させることができる。
【００２７】
オフセット印刷機１は、台車側スライドレールと対応する印刷機側スライドレール（図示せず）が設けられている。印刷機側スライドレールは、台車側スライドレールと一致する位置に配置されている。従って、台車２１を、台車側スライドレールと印刷機側スライドレールとを互いに繋げるように一致させる位置まで移動させることにより、インクジェット装置１８を台車２１の台車側スライドレール上からオフセット印刷機１の印刷機側スライドレール上にコロ２７でスライド移動させることができる。また、インクジェット装置１８には、インクジェット装置１８の幅方向（図２において紙面と平行方向）へのインクジェット装置１８の移動を制御するコロ２６が設けられている。従って、コロ２６、２７によって、インクジェット装置１８は、印刷機側スライドレール上でスライド移動して、インクジェット装置１８がナンバー、漢字、バーコード、二次元コードなどの情報印字を被印刷物の予め決められた位置に正確に印刷することができる位置に固定される。
【００２８】
オフセット印刷機１には、台車２１の台車側受け入れ穴と同様に、所望の位置に上記ピン２３を受け入れてインクジェット装置１８をオフセット印刷機１の所望の位置に固定するための印刷機側受け入れ穴（図示せず）が形成されている。従って、レバー２４でインクジェット装置１８の下方に突出しているピン２３をインクジェット装置１８内に収容するように持ち上げ、そして、インクジェット装置１８を台車２１の台車側スライドレール上からオフセット印刷機１の印刷機側スライドレール上にスライド移動させ、ピン２３が印刷機側受け入れ穴に対応する位置でスプリング２２の付勢力によってピン２３を印刷機側受け入れ穴に嵌合させることによりインクジェット装置１８をオフセット印刷機１の所望の位置に固定することができる。また、インクジェット装置１８には、ピン２３の軸線方向に対して直交する方向に伸びる軸線を有する固定ピン２５が設けられている。オフセット印刷機１には、この固定ピン２５を受け入れる固定ピン用穴（図示せず）が設けられており、固定ピン２５を固定ピン用穴に嵌合させることにより、オフセット印刷機１に対してインクジェット装置１８を正確に所望の位置に固定することができ、もって、インクジェット装置１８をナンバー、漢字、バーコード、二次元コードなどの情報印字を被印刷物の予め決められた位置に正確に印刷することができる位置に固定することができる。
【００２９】
また、インクジェット装置１８には、インクジェット装置１８のサイドフレーム２８、２９間に伸びたバー３０が設けられており、このバー３０には、バー３０に沿ってスライド移動可能できかつ所望の位置で固定できるように少なくとも一つのインクジェットヘッド３１が設けられている。図示のものは、４つのインクジェットヘッド３１がバー３０にスライド移動可能に設けられている。インクジェットヘッド３１は、圧胴１２に対して所望の位置に位置決めされる。
【００３０】
また、インクジェット装置１８には、バー３０の軸線と平行にサイドフレーム２８、２９間で伸びたシャフト３２が設けられており、このシャフト３２には、被印刷物にミシン目を入れることができるミシン歯を有するミシン手段３３が少なくとも一つ取り付けられている。図示のものは、６つのミシン手段３３がシャフト３２に取り付けられている。ミシン手段３３は、インクジェットヘッド３１に干渉しない位置でかつインクジェットヘッド３１に隣接した位置に設けられている。従って、本発明に適用可能なインクジェット装置１８は、ナンバー、漢字、バーコード、二次元コードなどの情報印字を被印刷物の予め決められた位置に正確に印刷することができると共に、ミシン手段３３によって被印刷物にミシン目を入れることができる。ミシン手段３３は、インクジェット制御装置１９と接続されており、インクジェット制御装置１９からの出力信号に基づいて動作できるようになっている。
【００３１】
上述のように、本発明に係るオフセット印刷機１は、インクジェット装置１８が具備しているため、オフセット印刷機１による印刷に加えて、ナンバー、漢字、 バーコード、二次元コードなどの情報印字を被印刷物の予め決められた位置に正確に印刷することができる。また、インクジェット制御装置１９に電気的に接続された操作パネルをオフセット印刷機１に設けることにより、操作画面上で位置調節等の各種設定事項を容易に行うことができる。例えば、ナンバー印刷を伝票やチケットへ印刷するレイアウトや、ナンバー印刷を行う位置、字体の大きさ、字体の種類、印字するかしないかなど、ナンバー同士の間隔等の設定を操作パネルを使用して行うことができる。また、上記各設定情報を予め設けられた記録部に保存し、この設定情報に基づいて同じ設定内容の印刷を繰返しを行うことができる。またこの情報は例えばコンピューターのネットワ−クを使用して国内、海外の別の場所へも転送可能である。また、レイアウト、ナンバー印刷を行う位置、字体の大きさ、字体の種類などを顧客に提示して、事前に顧客との意見交換、仕事内容の変更が可能である。また、印刷物のトレーサビリティ管理など印刷された日時管理や印刷条件などにも応用できる。
【００３２】
また、インクジェット装置１８にミシン手段３３を設けることができるため、オフセット印刷機１による印刷、及び、ナンバー、漢字、 バーコード、二次元コードなどの情報印字の印刷に加えて、被印刷物にミシン目を入れることができる。
【００３３】
また、インクジェット装置１８は着脱可能にオフセット印刷機１に取り付けられているため、圧胴１２の近傍に設けられたインクジェット装置１８をオフセット印刷機１から取り外して圧胴１２等のメンテナンス（清掃などの）をインクジェット装置１８に干渉されることなく効率よく行うことができると共に、インクジェット装置１８のインクジェットヘッド３１やミシン手段３３のミシン歯などのメンテナンスをオフセット印刷機１側の圧胴１２等の部品に干渉することなく効率よく行うことができる。
【００３４】
なお、上記実施の形態では、二色印刷可能なオフセット印刷機を一例として挙げて説明しているが、本発明は、これに限らず、一色印刷や三色以上の印刷が可能なオフセット印刷機に適用可能である。また、本発明は、オフセット印刷機に限らず、スクリーン印刷機などの他の枚葉印刷機にも適用可能である。
【符号の説明】
【００３５】
１    オフセット印刷機
２    給紙装置
３    コンベヤ
４    圧胴
５    渡し胴
６    ゴム胴
７    版胴
８    インキ供給部
９    水供給部
１０    大径の渡し胴
１１    渡し胴
１２    圧胴
１３    ゴム胴
１４    版胴
１５    インキ供給部
１６    水供給部
１７    排紙胴
１８    インクジェット装置
１９    インクジェット制御装置
２０    排紙部
２１    台車
２２    スプリング
２３    ピン
２４    レバー
２５    固定ピン
２６    コロ
２７    コロ
２８    サイドフレーム
２９    サイドフレーム
３０    バー
３１    インクジェットヘッド
３２    シャフト
３３    ミシン手段
【図１】
2012020537.tif 000003
【図２】
2012020537.tif 000004
【図３】
2012020537.tif 000005